(57)【要約】【課題】複数種類のドライバー工具を簡便に持ち運びできるようにする。【解決手段】ドライバー工具１は、ネジ頭に作用する作用部２０と、作用部２０の反対側の被保持部２１とを備える２以上のドライバー先端部２と、被保持部２１を嵌合させる凹部３２を備えドライバー先端部２を保持する２以上のソケット部３と、多角柱状であり少なくとも２以上の側面４１ａ〜４１ｄにそれぞれソケット部３を嵌合する嵌合穴部４３を備える把持手段４とを含み、ドライバー先端部２はソケット部３に着脱自在に固定され、ソケット部３は把持手段４に着脱自在に固定されるように構成したため、少なくとも２以上の大きさ又は形状のドライバー先端部２を把持手段４に固定して１つのドライバー工具１にまとめることができ、ドライバー工具を簡便に持ち運び可能となり、作業効率が向上する。【選択図】図１
2018079535.tif 000002
【特許請求の範囲】
【請求項１】
ネジ頭に作用する作用部と、該作用部の反対側の被保持部とを備える２以上のドライバー先端部と、
該被保持部を嵌合させる凹部を備え該ドライバー先端部を保持する２以上のソケット部と、
多角柱状であり少なくとも２以上の側面にそれぞれ該ソケット部を嵌合させる嵌合穴部を備える把持手段と、を含み、
該ドライバー先端部は該ソケット部に着脱自在に固定され、該ソケット部は該把持手段に着脱自在に固定されるドライバー工具。
【請求項２】
前記把持手段の嵌合穴部は、主嵌合部と該主嵌合部の両端に連結された補助嵌合部とを含む請求項１のドライバー工具。
【発明の詳細な説明】
【技術分野】
【０００１】
本発明は、ドライバー工具に関する。
【背景技術】
【０００２】
ドライバー工具は、例えば管軸の先端に着脱自在に取り付けられたドライバー部と、管軸の中央に形成された握り部とを備えている。そして、作業者が握り部を把持し、ドライバー部をネジのネジ頭に押し込みながら回すことにより、ネジを取り付け箇所に対して締めて取り付けたり緩めて取り外したりすることが可能となっている（例えば、下記の特許文献１を参照）。
【先行技術文献】
【特許文献】
【０００３】
【特許文献１】実開昭５５−１５６８７２号公報
【発明の概要】
【発明が解決しようとする課題】
【０００４】
しかし、機械や器具等に使用されているネジやボルトは、様々な形状や大きさに設定されているため、各々のネジやボルトのタイプに対応したドライバー工具を携帯しなければならず、ネジの取り付け及び取り外し作業が煩雑となり、作業効率が悪いという問題が生じている。
【０００５】
本発明は、上記の事情に鑑みてなされたものであり、複数のドライバー工具を簡便に持ち運びできるようにすることを目的としている。
【課題を解決するための手段】
【０００６】
本発明は、ネジ頭に作用する作用部と、該作用部の反対側の被保持部とを備える２以上のドライバー先端部と、該被保持部を嵌合させる凹部を備え該ドライバー先端部を保持する２以上のソケット部と、多角柱状であり少なくとも２以上の側面にそれぞれ該ソケット部を嵌合させる嵌合穴部を備える把持手段と、を含み、該ドライバー先端部は該ソケット部に着脱自在に固定され、該ソケット部は該把持手段に着脱自在に固定される。
【０００７】
上記把持手段の嵌合穴部は、主嵌合部と該主嵌合部の両端に連結された補助嵌合部とを含んで構成される。
【発明の効果】
【０００８】
本発明にかかるドライバー工具は、ネジ頭に作用する作用部と、作用部の反対側の被保持部とを備える２以上のドライバー先端部と、被保持部を嵌合させる凹部を備えドライバー先端部を保持する２以上のソケット部と、多角柱状であり少なくとも２以上の側面にそれぞれソケット部を嵌合する嵌合穴部を備える把持手段とを含み、ドライバー先端部はソケット部に着脱自在に固定され、ソケット部は把持手段に着脱自在に固定されるため、少なくとも２以上の大きさ又は形状のドライバー先端部を把持手段に固定して１つのドライバー工具にまとめることができ、ドライバー工具の持ち運びがより簡便になり、作業効率が向上する。また、ドライバー先端部は、ソケット部に着脱自在に固定された状態で把持手段の嵌合穴部に固定されるため、ドライバー工具の使用回数の増加とともにソケット部の凹部が摩耗しても、摩耗したソケット部のみを交換すればよいため、作業者の作業負担を軽減することができる。
【０００９】
上記把持手段の上記嵌合穴部は、主嵌合部と主嵌合部の両端に連結された補助嵌合部とを含むため、ドライバー工具の使用回数を重ねても、嵌合穴部の内壁が過度に摩耗するのを防ぐことができ、ソケット部が嵌合穴部において空回りするのを防ぐことができる。
【図面の簡単な説明】
【００１０】
【図１】ドライバー工具の構成を示す分解平面図である。
【図２】ドライバー工具の構成を示す分解斜視図である。
【図３】ドライバー工具の使用例を示す側面図である。
【発明を実施するための形態】
【００１１】
図１に示すドライバー工具１は、２以上のドライバー先端部２（図示の例では４つ）と、ドライバー先端部２を保持する２以上のソケット部３（図示の例では４つ）と、多角柱状であり少なくとも２以上の側面４１ａ、４１ｂ、４１ｃ、４１ｄにそれぞれソケット部３を嵌合するための嵌合穴部４３を備える把持手段４とを含んで構成されている。
【００１２】
ドライバー先端部２は、ネジのネジ頭に作用する作用部２０と、作用部２０の反対側の被保持部２１とを備えている。例えば、図２に示すドライバー先端部２は、作用部２０が例えばマイナス形状（一字形状）に形成されており、マイナス溝が形成されたネジ頭に対応している。被保持部２１は、例えば五角柱状に形成され、作用部２０の後端に連接されている。作用部２０及び被保持部２１の材質は、特に限定されるものではなく、例えば金属からなる。
【００１３】
各ドライバー先端部２は、特に種類が同一でなくてよい。すなわち、使用するネジのネジ頭の大きさや形状（ネジ頭に形成される溝の大きさや形状等も含む）に対応した作用部２０を備えるドライバー先端部２を選択すればよい。作用部２０の形状は、上記した例のほか、例えば、プラス溝が形成されたネジ頭に対応するプラス形状（十字形状）、六角ボルトに対応するソケット形状などが挙げられる。
【００１４】
ソケット部３は、ドライバー先端部２を保持する治具である。ソケット部３は、図２に示すように、多面体からなり、ソケット本体３０と、ソケット本体３０の両側部にそれぞれ連接された突出部３１と、ソケット本体３０の中央に被保持部２１を嵌合させる五角柱状の凹部３２とを備えている。凹部３２の幅は、被保持部２１を嵌め込むことができる程度に被保持部２１よりも僅かに大きくなっている。ソケット部３の材質についても特に限定されず、例えば金属からなる。そして、ソケット部３の凹部３２にドライバー先端部２の被保持部２１を嵌合することにより、ドライバー先端部２がソケット部３に着脱自在に固定される。
【００１５】
把持手段４は、例えば八角柱状からなる本体４０を備えている。本実施形態では、本体４０の８面からなる側面のうち、４面の側面４１ａ，４１ｂ，４１ｃ，４１ｄに嵌合穴部４３をそれぞれ備えている。本体４０は、少なくとも作業者の片手で把持することができる程度の大きさ及び厚みを有している。本体４０の側面４１ａ〜４１ｄの面方向と直交する方向に水平な八角形の上面４２ａ及び下面４２ｂには特に何も形成されていない。そして、作業者は、上面４２ａと下面４２ｂとを指で挟むようにして本体４０を把持することができる。
【００１６】
図２に示すように、嵌合穴部４３は、主嵌合部４４と、主嵌合部４４の両端に連結された補助嵌合部４５とを含んで構成されている。主嵌合部４４及び補助嵌合部４５は、ソケット部３を嵌合できる程度にソケット部３の外枠の形状に合わせて形成された穴である。つまり、主嵌合部４４は、ソケット本体３０の外形に沿って形成された穴であり、補助嵌合部４５は、突出部３１の外形に沿って形成された穴である。このように構成される嵌合穴部４３にソケット部３を嵌合することにより、ソケット部３が嵌合穴部４３に着脱自在に固定される。
【００１７】
また、嵌合穴部４３の中央には、ソケット部３を磁着させるマグネット４６が配設されている。これにより、ドライバー工具１を持ち運ぶ際や使用する際に、嵌合穴部４３からソケット部３とともにドライバー先端部２が離脱するのを防止することができる。
【００１８】
次に、ドライバー工具１の使用例について説明する。まず、ドライバー工具１の準備をする。使用しようとするドライバー先端部２を被保持部２１からソケット部３の凹部３２に嵌合させて、ソケット部３にドライバー先端部２を固定する。続いて、ドライバー先端部２が固定されたソケット部３を、例えば、本体４０の側面４１ｃの嵌合穴部４３に嵌合させる。つまり、ソケット部３のソケット本体３０を主嵌合部４４に嵌め込むとともにソケット部３の突出部３１を補助嵌合部４５に嵌め込む。
【００１９】
このとき、図２に示すマグネット４６の磁力によってソケット部３が嵌合穴部４３に磁着される。その結果、図３に示すように、本体４０の側面４１ｃからドライバー先端部２が突出した状態となり、ドライバー工具１の準備が完了する。作業者は、作業の必要に応じて、本体４０の側面４１ａ、４１ｂ、４１ｄの嵌合穴部４３にも、大きさ又は形状の異なるドライバー先端部２が嵌合されたソケット部３をそれぞれ嵌合させるとよい。すなわち、把持手段４の本体４０には、複数のドライバー先端部２が嵌合されたソケット部３を嵌合して固定することができるため、１つのドライバー工具１で複数種類のネジに対応して作業を進めることが可能となる。
【００２０】
ドライバー工具１を準備した後、作業者は、作業者の手５で本体４０を把持してドライバー工具１を持ち運ぶことが可能となる。これにより、複数種類のドライバー工具を携帯する必要がない。ドライバー工具１を使用する際は、所望のネジのネジ頭に作用部２０を押し込みながら本体４０を回すことにより、所定の取り付け箇所にネジを締めて取り付けたり緩めて取り外したりすればよい。ドライバー工具１を使用する際に、嵌合穴部４３に固定されたソケット部３に力が作用しても、主嵌合部４４及び補助嵌合部４５によってソケット部３の回転が規制されるため、嵌合穴部４３の摩耗の進行が抑制される。さらに、ドライバー工具１による作業中に、別の種類のドライバー先端部２を使用したい場合は、本体４０の側面４０ａ〜４０ｃの位置をずらして、所望のドライバー先端部２を選択すればよい。
【００２１】
以上のとおり、本発明にかかるドライバー工具１は、ネジ頭に作用する作用部２０と、作用部２０の反対側の被保持部２１とを備える２以上のドライバー先端部２と、被保持部２１を嵌合させる凹部３２を備えドライバー先端部２を保持する２以上のソケット部３と、多角柱状であり少なくとも２以上の側面４１ａ〜４１ｄにそれぞれソケット部３を嵌合する嵌合穴部４３を備える把持手段４とを含み、ドライバー先端部２は、ソケット部３に着脱自在に固定され、ソケット部３は把持手段４に着脱自在に固定されるように構成したため、少なくとも２以上の大きさ又は形状のドライバー先端部２を把持手段４に固定して１つのドライバー工具１にまとめることができる。したがって、ドライバー工具１の持ち運びがより簡便になり、作業効率が向上する。把持手段４が多角柱形状に形成されていることにより、操作性も優れている。また、ドライバー先端部２は、ソケット部３に着脱自在に固定された状態で把持手段４の嵌合穴部４３に固定されるため、ドライバー工具１の使用回数の増加とともにソケット部３の凹部３２が摩耗しても、摩耗したソケット部３のみを交換すればよいため、作業者の作業負担を軽減することができる。さらに、把持手段４の嵌合穴部４３は、主嵌合部４４と主嵌合部４４の両端に連結された補助嵌合部４５とを含む構成としたため、ドライバー工具１の使用回数を重ねても、嵌合穴部４３の内壁が過度に摩耗するのを防ぐことができ、ソケット部３が嵌合穴部４３において空回りするのを防止することができる。
【００２２】
なお、本実施形態に示した把持手段４を構成する本体４０は、多角柱状であればよいため、図示した八角柱状に限定されるものではない。したがって、作業の必要性に応じて、本体４０の形状を変えて、側面の数の増減に応じてソケット部３が嵌合される嵌合穴部４３の数を増減させてもよい。また、本実施形態に示した把持手段４では、本体４０の４つの側面４１ａ〜４１ｄに嵌合穴部４３を備えた場合を説明したが、本体４０の上面４２ａ、下面４２ｂ側にも嵌合穴部４３を備えるようにしてもよい。
【符号の説明】
【００２３】
１：ドライバー工具  ２：ドライバー先端部  ２０：作用部  ２１：被保持部
３：ソケット部  ３０：ソケット本体  ３１：突出部  ３２：凹部
４：把持手段  ４０：本体  ４１ａ，４１ｂ，４１ｃ，４１ｄ：側面
４２ａ：上面  ４２ｂ：下面  ４３：嵌合穴部  ４４：主嵌合部  ４５：補助嵌合部
４６：マグネット
５：作業者の手
【図１】
2018079535.tif 000003
【図２】
2018079535.tif 000004
【図３】
2018079535.tif 000005